(57)【要約】【課題】両面印刷におけるページの裏面のプレビュー画像を片手で容易に表示できる画像形成システム及び携帯端末を提供する。【解決手段】（１）に示す携帯端末２００の操作パネル２３０には、両面印刷における１ページ目の表面のプレビュー画像を表示している。このような状態の携帯端末２００に対してユーザーが（２）（ａ）に示すように携帯端末２００の裏側を水平方向に正面に向ける動作を行い、次にユーザーが（２）（ｂ）に示すように携帯端末２００の表側を水平方向に正面に向ける動作を行う。この一連の動作により（３）に示すように操作パネル２３０に、両面印刷における１ページ目の裏面のプレビュー画像が表示される。また、ユーザーが指定したページの裏面のプレビュー画像を表示するときには、指定したページの表面のプレビュー画像を表示し、次にユーザーが同様の動作を行うことで、指定したページの裏面のプレビュー画像を表示できる。【選択図】図３
2015187761.tif 000002
【特許請求の範囲】
【請求項１】
画像形成装置と携帯端末を有する画像形成システムであって、
前記画像形成装置は、
画像データからプレビュー画像データを作成するプレビュー画像データ作成手段と、
前記携帯端末に前記プレビュー画像データを送信するプレビュー画像データ送信手段と
を備え、
前記携帯端末は、
前記画像形成装置から前記プレビュー画像データを無線通信により受信するプレビュー画像データ受信手段と、
前記プレビュー画像データの画像を表示するプレビュー画像表示手段と、
前記携帯端末の本体が特定の回転手順で回転したことを検出する回転検出手段と
を備え、
前記携帯端末は、前記プレビュー画像データの画像を表示しているときに前記回転検出手段により前記携帯端末の本体が回転したことを検出すると、表示している画像の裏面に対応する前記プレビュー画像データの画像を表示することを特徴とする画像形成システム。
【請求項２】
前記回転検出手段が検出する回転は、前記携帯端末を水平に回転させ裏側を正面に向ける動作と正面と反対に向いている前記携帯端末を水平に回転させ表側を正面に向ける一連の動作であることを特徴とする請求項１に記載の画像形成システム。
【請求項３】
前記画像形成装置は、
両面印刷の前記画像データに両面印刷フラグをセットして設定する両面印刷フラグ設定手段を備え、
前記携帯端末は、
前記両面印刷フラグがセットされているかを判定する両面印刷フラグ判定手段と、
前記画像データに両面印刷フラグをセットされているときに、裏面のプレビュー画像データが表示可能であることを示すアイコンの画像データと、前記プレビュー画像データとを合成した画像を表示する合成画像表示手段と
を備える
ことを特徴とする請求項１または請求項２に記載の画像形成システム。
【請求項４】
前記画像形成装置と前記携帯端末は、ネットワークにより接続することを特徴とする請求項１から請求項３のいずれか１項に記載の画像形成システム。
【請求項５】
前記画像形成装置と前記携帯端末は、近距離無線通信により接続することを特徴とする請求項１から請求項４のいずれか１項に記載の画像形成システム。
【請求項６】
前記画像形成装置と前記携帯端末は、インターネットにより接続することを特徴とする請求項１から請求項５のいずれか１項に記載の画像形成システム。
【請求項７】
画像データを画像形成装置から受信する画像データ受信手段と、
前記画像データからプレビュー画像データを作成するプレビュー画像データ作成手段と、
前記プレビュー画像データの画像を表示するプレビュー画像表示手段と、
本体が特定の回転手順で回転したことを検出する回転検出手段と
を備え、
前記プレビュー画像データの画像を表示しているときに前記回転検出手段により前記携帯端末の本体が回転したことを検出すると、表示している画像の裏面に対応する前記プレビュー画像データの画像を表示することを特徴とする携帯端末。
【請求項８】
前記回転検出手段が検出する回転は、前記携帯端末を水平に回転させ裏側を正面に向ける動作と正面と反対に向いている前記携帯端末を水平に回転させ表側を正面に向ける一連の動作であることを特徴とする請求項７に記載の携帯端末。
【請求項９】
両面印刷のときに両面印刷フラグがセットされる画像データに対して前記両面印刷フラグがセットされているかを判定する両面印刷フラグ判定手段と、
前記画像データに両面印刷フラグをセットされているときに、裏面のプレビュー画像データが表示可能であることを示すアイコンの画像データと、前記プレビュー画像データとを合成した画像を表示する合成画像表示手段と
を備えることを特徴とする請求項７または請求項８に記載の携帯端末。
【請求項１０】
携帯端末のコンピューターを、
前記画像形成装置からプレビュー画像データを無線通信により受信するプレビュー画像データ受信手段、
前記プレビュー画像データの画像を表示するプレビュー画像表示手段、および
前記携帯端末の本体が特定の回転手順で回転したことを検出する回転検出手段として機能させ、
前記携帯端末は、前記プレビュー画像データの画像を表示しているときに前記回転検出手段により前記携帯端末の本体が回転したことを検出すると、表示している画像の裏面に対応する前記プレビュー画像データの画像を表示することを特徴とする画像表示プログラム。
【請求項１１】
携帯端末のコンピューターを、
画像データを画像形成装置から受信する画像データ受信手段、
前記画像データから前記プレビュー画像データを作成するプレビュー画像データ作成手段、
前記プレビュー画像データの画像を表示するプレビュー画像表示手段、および
本体が特定の回転手順で回転したことを検出する回転検出手段として機能させ、
前記プレビュー画像データの画像を表示しているときに前記回転検出手段により前記携帯端末の本体が回転したことを検出すると、表示している画像の裏面に対応する前記プレビュー画像データの画像を表示することを特徴とする画像表示プログラム。
【発明の詳細な説明】
【技術分野】
【０００１】
本発明は、画像形成装置から受信した画像の印刷イメージ（以下、「プレビュー」という）を携帯端末に表示する画像形成システム、携帯端末、及び画像表示プログラムに関する。
【背景技術】
【０００２】
プリンター、多機能プリンター、多機能周辺装置、または複合機（Ｍｕｌｔｉｆｕｎｃｔｉｏｎ  Ｐｅｒｉｐｈｅｒａｌ）である画像形成装置は、読み取った原稿の画像データを携帯電話、スマートフォン、またはタブレット端末などの携帯端末に無線通信により送信することができる。携帯端末は、画像形成装置から画像データを受信し、携帯端末の操作パネルに表示することができる。例えば、特許文献１の出力処理プログラム、および出力装置（携帯端末）では、携帯電話などの出力装置が画像データ取得装置（画像形成装置）から受信する画像データの画像を出力装置のパネルに表示している。また、出力装置のパネルに表示する画像のページ送りを行う操作について、ユーザーが出力装置を片手で傾かせる操作でもできるようにしている。つまり、ユーザーが携帯端末を傾かせると、その傾きの回転方向に応じて携帯端末のパネルに表示している画像のページ送りができる。
【先行技術文献】
【特許文献】
【０００３】
【特許文献１】特開２０１４−１１７１３号公報
【発明の概要】
【発明が解決しようとする課題】
【０００４】
しかし、特許文献１では、出力装置により画像データの画像を表示し、ユーザーが出力装置を片手で回転させることで、パネルに表示する画像のページ送りの操作を容易に行うことができるが、この操作だけでは両面印刷の場合に、同じページにおいて裏面の画像を容易に表示することができない。また、特許文献１では、ユーザーが印刷要求を行う前に確認するプレビューの画像（以下、「プレビュー画像」という）を表示することができない。このような従来の技術では、両面印刷の場合におけるページの裏面のプレビュー画像を片手で容易に表示することができないという問題があった。
【０００５】
本発明はこのような状況に鑑みてなされたものであり、上記課題を解決できる画像形成システム、携帯端末、及び画像表示プログラムを提供することを目的とする。
【課題を解決するための手段】
【０００６】
本発明の画像形成システムは、画像形成装置と携帯端末を有する画像形成システムであって、前記画像形成装置は、画像データからプレビュー画像データを作成するプレビュー画像データ作成手段と、前記携帯端末に前記プレビュー画像データを送信するプレビュー画像データ送信手段とを備え、前記携帯端末は、前記画像形成装置から前記プレビュー画像データを無線通信により受信するプレビュー画像データ受信手段と、前記プレビュー画像データの画像を表示するプレビュー画像表示手段と、前記携帯端末の本体が特定の回転手順で回転したことを検出する回転検出手段とを備え、前記携帯端末は、前記プレビュー画像データの画像を表示しているときに前記回転検出手段により前記携帯端末の本体が回転したことを検出すると、表示している画像の裏面に対応する前記プレビュー画像データの画像を表示することを特徴としている。
また、本発明の画像形成システムの前記回転検出手段が検出する回転は、前記携帯端末を水平に回転させ裏側を正面に向ける動作と正面と反対に向いている前記携帯端末を水平に回転させ表側を正面に向ける一連の動作であることを特徴としている。
また、本発明の画像形成システムの前記画像形成装置は、両面印刷の前記画像データに両面印刷フラグをセットして設定する両面印刷フラグ設定手段を備え、前記携帯端末は、前記両面印刷フラグがセットされているかを判定する両面印刷フラグ判定手段と、前記画像データに両面印刷フラグをセットされているときに、裏面のプレビュー画像データが表示可能であることを示すアイコンの画像データと、前記プレビュー画像データとを合成した画像を表示する合成画像表示手段とを備えることを特徴としている。
また、本発明の画像形成システムの前記画像形成装置と前記携帯端末は、ネットワークにより接続することを特徴としている。
また、本発明の画像形成システムの前記画像形成装置と前記携帯端末は、近距離無線通信により接続することを特徴としている。
また、本発明の画像形成システムの前記画像形成装置と前記携帯端末は、インターネットにより接続することを特徴としている。
本発明の携帯端末は、画像データを画像形成装置から受信する画像データ受信手段と、前記画像データからプレビュー画像データを作成するプレビュー画像データ作成手段と、前記プレビュー画像データの画像を表示するプレビュー画像表示手段と、本体が特定の回転手順で回転したことを検出する回転検出手段とを備え、前記プレビュー画像データの画像を表示しているときに前記回転検出手段により前記携帯端末の本体が回転したことを検出すると、表示している画像の裏面に対応する前記プレビュー画像データの画像を表示することを特徴としている。
また、本発明の携帯端末は、前記回転検出手段が検出する回転は、前記携帯端末を水平に回転させ裏側を正面に向ける動作と正面と反対に向いている前記携帯端末を水平に回転させ表側を正面に向ける一連の動作であることを特徴としている。
また、本発明の携帯端末は、両面印刷のときに両面印刷フラグがセットされる画像データに対して前記両面印刷フラグがセットされているかを判定する両面印刷フラグ判定手段と、前記画像データに両面印刷フラグをセットされているときに、裏面のプレビュー画像データが表示可能であることを示すアイコンの画像データと、前記プレビュー画像データとを合成した画像を表示する合成画像表示手段とを備えることを特徴としている。
本発明の画像表示プログラムは、携帯端末のコンピューターを、前記画像形成装置からプレビュー画像データを無線通信により受信するプレビュー画像データ受信手段、前記プレビュー画像データの画像を表示するプレビュー画像表示手段、および前記携帯端末の本体が特定の回転手順で回転したことを検出する回転検出手段として機能させ、前記携帯端末は、前記プレビュー画像データの画像を表示しているときに前記回転検出手段により前記携帯端末の本体が回転したことを検出すると、表示している画像の裏面に対応する前記プレビュー画像データの画像を表示することを特徴としている。
本発明の他の画像表示プログラムは、携帯端末のコンピューターを、画像データを画像形成装置から受信する画像データ受信手段、前記画像データから前記プレビュー画像データを作成するプレビュー画像データ作成手段、前記プレビュー画像データの画像を表示するプレビュー画像表示手段、および本体が特定の回転手順で回転したことを検出する回転検出手段として機能させ、前記プレビュー画像データの画像を表示しているときに前記回転検出手段により前記携帯端末の本体が回転したことを検出すると、表示している画像の裏面に対応する前記プレビュー画像データの画像を表示することを特徴としている。
【発明の効果】
【０００７】
本発明の画像形成システム、携帯端末、及び画像表示プログラムは、両面印刷におけるページの裏面のプレビュー画像を片手で容易に表示することができる。
【図面の簡単な説明】
【０００８】
【図１】本発明の実施形態に係る画像形成システムの構成を示す図である。
【図２】図１に示す画像形成システムの画像形成装置と携帯端末の機能構成を示す図である。
【図３】本発明の実施形態に係る両面印刷におけるページの裏面のプレビュー画像を表示する操作手順を示す図である。
【図４】本発明の実施形態に係る携帯端末のプレビュー画像表示処理の流れを示すフローチャートである。
【発明を実施するための形態】
【０００９】
以下、本発明を実施するための形態（以下、「実施形態」という）を、図面を参照して説明する。実施形態では、まず、画像形成装置が両面印刷のページの表面と裏面のプレビュー画像データを作成し、プレビュー画像データを携帯端末に送信する。次に、携帯端末は、プレビュー画像データを受信すると、ユーザーの操作により、ページの表面のプレビュー画像を表示する。次に、ユーザーが携帯端末を回転させることによって、ページの裏面のプレビュー画像を表示するものである。
【００１０】
まず、本実施形態の画像形成システム１０のシステム構成について、図１を用いて説明する。図１に示すように、画像形成システム１０は、複数の画像形成装置１００、複数の携帯端末２００、アクセスポイント３００、ネットワーク４００、ルーター５００、インターネット６００、及びアクセスポイント７００により構成されている。画像形成装置１００とアクセスポイント３００は、ネットワーク４００に接続され、ネットワーク４００はルーター５００を経由してインターネット６００に接続されている。
【００１１】
画像形成装置１００は、プリンター、多機能プリンター、多機能周辺装置、または複合機であり、近距離無線通信、アクセスポイント３００、またはインターネット６００により携帯端末２００とデータの送受信を行うことができる。
【００１２】
携帯端末２００は、携帯電話、スマートフォン、またはタブレット端末等であり、近距離無線通信、ネットワーク４００のアクセスポイント３００、またはインターネット６００のアクセスポイント７００により画像形成装置１００とデータの送受信を行うことができる。
【００１３】
アクセスポイント３００は、ネットワーク４００に接続され、無線通信によりアクセスポイント３００に対して接続要求を行っている携帯端末２００をネットワーク４００に接続する。
【００１４】
ネットワーク４００は、ＬＡＮ（Local Area Network）などのネットワークであり、複数の画像形成装置１００と、アクセスポイント３００が接続されている。
【００１５】
ルーター５００は、ネットワーク４００に接続され、ネットワーク４００をインターネット６００に接続する。
【００１６】
インターネット６００は、インターネットやイントラネット等のＩＰネットワークであり、複数の携帯端末２００がアクセスポイント７００を経由して接続する。
【００１７】
次に、画像形成システム１０の画像形成装置１００と携帯端末２００の機能構成について、図２を用いて説明する。図２に示す画像形成装置１００と携帯端末２００は、図１に示す画像形成システム１０において、ネットワーク４００に接続する１台の画像形成装置１００と、アクセスポイント３００によりネットワーク４００に接続する１台の携帯端末２００の機能構成を示す。また、図１に示す他の画像形成装置１００及び携帯端末２００についても同様の機能構成である。
【００１８】
まず、画像形成装置１００の機能構成について、説明する。図２に示す画像形成装置１００は、制御部１１０、メモリー部１２０、記憶部１３０、操作パネル１４０、操作パネル処理部１５０、原稿読取部１６０、画像処理部１７０、近距離無線通信部１８０、及びネットワーク通信部１９０を備え、これら各部はバスなどにより接続される構成となっている。制御部１１０には、プレビュー画像作成処理部１１０ａとプレビュー画像送信処理部１１０ｂが設けられている。メモリー部１２０には、画像データ記憶エリア１２０ａとプレビュー画像データ記憶エリア１２０ｂが設けられている。記憶部１３０には、ドキュメントボックスエリア１３０ａが設けられている。
【００１９】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的な画像形成装置１００の制御を行う。
プレビュー画像作成処理部１１０ａは、画像データ記憶エリア１２０ａから画像データを取り出し、この画像データからプレビュー画像データを作成し、プレビュー画像データ記憶エリア１２０ｂに記憶する。また、プレビュー画像作成処理部１１０ａは、両面印刷の表面または裏面の画像データからプレビュー画像データを作成するときに、表面と裏面のプレビュー画像データに両面印刷であることを示す両面印刷フラグをセットする。
プレビュー画像送信処理部１１０ａは、携帯端末２００からプレビュー画像要求通知を受信すると、プレビュー画像データ記憶エリア１２０ｂからプレビュー画像データを取り出し、携帯端末２００に送信する。
【００２０】
メモリー部１２０は、フラッシュメモリー等の補助記憶装置で、制御部１１０が実行する処理のプログラムやデータを記憶する。
画像データ記憶エリア１２０ａは、原稿読取部１６０から読み取った画像データや、ネットワーク通信部１９０を経由して他の画像形成装置１００や携帯端末２００から受信した画像データを記憶する。
プレビュー画像データ記憶エリア１２０ｂは、画像形成装置１００が画像データから作成したプレビュー画像データを記憶する。
【００２１】
記憶部１３０は、データやプログラムを記憶するハードディスクドライブである。
ドキュメントボックスエリア１３０ａには、ユーザー毎の複数のドキュメントボックスが設けられている。各々のドキュメントボックスには、ユーザーが管理する画像データが記憶されている。
【００２２】
操作パネル１４０は、操作画面、画像データの画像、及びプレビュー画像データのプレビュー画像の表示と、ユーザーによる操作受け付けを行う液晶パネルである。
【００２３】
操作パネル処理部１５０は、画像形成装置１００が備えている機能に対する操作項目を操作パネル１４０に表示する処理、画像及びプレビュー画像を操作パネル１４０に表示する処理、または操作パネル１４０からユーザーの操作を入力する処理を行う。
【００２４】
原稿読取部１６０は、ユーザーが操作パネル１４０から読み取り操作を行うと、画像形成装置１００の原稿台にセットされた原稿の読み取りを行い、読み取ったデータを画像処理部１７０に出力する。
【００２５】
画像処理部１７０は、原稿読取部１６０から読み取ったデータを入力すると、印刷可能なイメージの画像データや、ＦＡＸやメールで送信可能なイメージの画像データに変換する。
【００２６】
近距離無線通信部１８０は、近距離無線通信規格であるBluetooth（登録商標）や赤外線通信により携帯端末２００と近距離での直接通信を行う。
【００２７】
ネットワーク通信部１９０は、着脱可能なＬＡＮインターフェイスを備え、ネットワーク４００に接続する。
【００２８】
次に、携帯端末２００の機能構成について、説明する。図２に示す携帯端末２００は、制御部２１０、メモリー部２２０、操作パネル２３０、操作パネル処理部２４０、３軸加速度センサー部２５０、近距離無線通信部２６０、及びネットワーク通信部２７０を備え、これら各部はバスなどにより接続される構成となっている。制御部２１０には、プレビュー画像要求処理部２１０ａとプレビュー画像表示処理部２１０ｂが設けられている。メモリー部２２０には、プレビュー画像データ記憶エリア２２０ａが設けられている。
【００２９】
制御部２１０は、ＲＡＭやＲＯＭ等の主記憶手段、及びＣＰＵ(Central Processing Unit)等の制御手段を備えている。また、制御部２１０は、各種Ｉ／Ｏや、ＵＳＢ（ユニバーサル・シリアル・バス）等のインターフェイス、バスコントローラー等を含む総合的な携帯端末２００の制御を行う。
プレビュー画像要求処理部２１０ａは、画像形成装置１００に対してプレビュー画像要求通知を送信し、画像形成装置１００からプレビュー画像データを受信すると、プレビュー画像データ記憶エリア２２０ａに記憶する。
プレビュー画像表示処理部２１０ｂは、プレビュー画像データ記憶エリア２２０ａからプレビュー画像データを取り出し、プレビュー画像データの画像を操作パネル２３０に表示する。プレビュー画像表示処理部２１０ｂが実行するプレビュー画像表示処理の詳細については、後述する。
【００３０】
メモリー部２２０は、フラッシュメモリー等の補助記憶装置で、制御部２１０が実行する処理のプログラムやデータを記憶する。
プレビュー画像データ記憶エリア２２０ａは、画像形成装置１００から受信するプレビュー画像データを記憶する。
【００３１】
操作パネル２３０は、操作画面、画像データの画像、及びプレビュー画像データのプレビュー画像の表示と、ユーザーによる操作受け付けを行う液晶パネルである。
【００３２】
操作パネル処理部２４０は、携帯端末２００が備えている機能に対する操作項目を操作パネル２３０に表示する処理、画像及びプレビュー画像を操作パネル２３０に表示する処理、または操作パネル２３０からユーザーの操作を入力する処理を行う。
【００３３】
３軸加速度センサー部２５０は、ＸＹＺ軸方向それぞれの加速度を検出することで、携帯端末２００の傾きなどの動きを検出するＭＥＭＳ(Micro Electro Mechanical System)センサーである。
【００３４】
近距離無線通信部２６０は、近距離無線通信規格であるBluetooth（登録商標）や赤外線通信により画像形成装置１００と近距離での直接通信を行う。
【００３５】
ネットワーク通信部２７０は、アクセスポイント３００を経由してネットワーク４００に接続する。また、ネットワーク通信部２７０は、アクセスポイント７００を経由してインターネット６００に接続する。
【００３６】
次に、実施形態における両面印刷のページの表面と裏面のプレビュー画像を表示する操作について、図３を用いて説明する。
図３（１）に示す携帯端末２００の操作パネル２３０には、両面印刷における１ページ目の表面のプレビュー画像を表示している。このような状態の携帯端末２００に対して、ユーザーが図３（２）（ａ）に示すように携帯端末２００を水平に回転させ、裏側を正面に向ける動作を行うと、携帯端末２００の裏側が正面となる。次いで、ユーザーが図３（２）（ｂ）に示すように携帯端末２００を水平に回転させ、表側を正面に向ける動作を行うと、携帯端末２００の表側が正面となる。この一連の動作により、携帯端末２００の操作パネル２３０には、両面印刷における１ページ目の裏面のプレビュー画像が表示される。また、１ページ目でなくユーザーが指定したページの裏面のプレビュー画像を表示するときには、まずユーザーが指定したページの表面のプレビュー画像を表示し、次にユーザーが１ページ目の裏面のプレビュー画像を表示するときと同じ動作を行うことで、ユーザーが指定したページの裏面のプレビュー画像を表示できる。
【００３７】
次に、携帯端末２００の操作パネル２３０に、両面印刷におけるページの表面と裏面のプレビュー画像を表示する手順について、図４のフローチャートを用いて更に詳しく説明する。
【００３８】
まず、ユーザーが携帯端末２００の操作パネル２３０からプレビュー画像の表示操作を行うと、操作パネル処理部２４０からプレビュー画像の表示要求通知が制御部２１０に出力される。制御部２１０は、プレビュー画像の表示要求通知を入力すると、プレビュー画像要求処理部２１０ａを起動する。次に、プレビュー画像要求処理部２１０ａは、画像形成装置１００に対してプレビュー画像要求通知を送信し、画像形成装置１００からプレビュー画像データを受信すると、プレビュー画像データ記憶エリア２２０ａに記憶する。次に、制御部２１０は、プレビュー画像要求処理部２１０ａがプレビュー画像要求処理を終了したことを検出すると、プレビュー画像表示処理部２１０ｂを起動する。次に、プレビュー画像表示処理部２１０ｂがプレビュー画像表示処理を開始する。以下、図４に示すプレビュー画像表示処理のフローチャートのステップ順に説明する。
【００３９】
（ステップＳ１０１）
まず、プレビュー画像表示処理部２１０ｂは、プレビュー画像データ記憶エリア２２０ａからプレビュー画像データを取り出す。
【００４０】
（ステップＳ１０２）
次いで、プレビュー画像表示処理部２１０ｂは、表示するプレビュー画像のページ番号を設定する表示ページ番号データに初期値（＝１）を設定する。
【００４１】
（ステップＳ１０３）
次いで、プレビュー画像表示処理部２１０ｂは、ステップＳ１０１で取り出したプレビュー画像データから表示ページ番号データに設定されている表示ページ番号に対応するプレビュー画像データを取り出す。このときに、両面印刷のページにおいては、表面のプレビュー画像データが取り出される。
【００４２】
（ステップＳ１０４）
次いで、プレビュー画像表示処理部２１０ｂは、ステップＳ１０３で取り出したプレビュー画像データの両面印刷フラグがセットされているかを判定する。両面印刷フラグがセットされているとき(ステップＳ１０４のＹｅｓ)は、ステップＳ１０５に進む。両面印刷フラグがセットされていないとき(ステップＳ１０４のＮｏ)は、ステップＳ１０６に進む。
【００４３】
（ステップＳ１０５）
ステップＳ１０４のＹｅｓにおいて、プレビュー画像表示処理部２１０ｂは、裏面のプレビュー画像データが表示可能であることを示すアイコンの画像データと、ステップＳ１０３で取り出したプレビュー画像データとを合成した画像を、操作パネル処理部２４０により操作パネル２３０に表示する。
【００４４】
（ステップＳ１０６）
ステップＳ１０４のＮｏにおいて、プレビュー画像表示処理部２１０ｂは、ステップＳ１０３で取り出したプレビュー画像データの画像を操作パネル処理部２４０により操作パネル２３０に表示する。
【００４５】
（ステップＳ１０７）
次いで、プレビュー画像表示処理部２１０ｂは、３軸加速度センサー２５０により携帯端末２００の本体が水平方向に９０度から１８０度の範囲以内で特定時間内に回転したかを判定する。携帯端末２００の本体が回転したとき(ステップＳ１０７のＹｅｓ)は、ステップＳ１０８に進む。携帯端末２００の本体が回転しないとき(ステップＳ１０７のＮｏ)は、ステップＳ１１１に進む。なお、特定時間とは任意に設定可能な時間である。
【００４６】
（ステップＳ１０８）
ステップＳ１０７のＹｅｓにおいて、プレビュー画像表示処理部２１０ｂは、３軸加速度センサー２５０により携帯端末２００の本体がステップＳ１０７で検出した方向と逆方向に９０度から１８０度の範囲以内で特定時間内に回転したかを判定する。携帯端末２００の本体が逆回転したとき(ステップＳ１０８のＹｅｓ)は、ステップＳ１０９に進む。携帯端末２００の本体が逆回転しないとき(ステップＳ１０９のＮｏ)は、ステップＳ１１１に進む。
【００４７】
（ステップＳ１０９）
次いで、プレビュー画像表示処理部２１０ｂは、ステップＳ１０１で取り出したプレビュー画像データから表示ページ番号データの表示ページ番号に対応する裏面のプレビュー画像データを取り出す。
【００４８】
（ステップＳ１１０）
次いで、プレビュー画像表示処理部２１０ｂは、ステップＳ１０９で取り出した裏面のプレビュー画像データの画像を操作パネル処理部２４０により操作パネル２３０に表示する。
【００４９】
（ステップＳ１１１）
ステップＳ１０７のＮｏ、ステップＳ１０８のＮｏ、またはステップＳ１１０に次いで、プレビュー画像表示処理部２１０ｂは、次に表示するページの表示操作またはプレビュー画像の表示終了操作が行われるまで待ち状態となり、次に表示するページの表示操作またはプレビュー画像の表示終了操作が行われるとステップＳ１１２に進む。
【００５０】
（ステップＳ１１２）
次いで、プレビュー画像表示処理部２１０ｂは、操作パネル２３０から次に表示するページの表示操作が行われたかを判定する。次に表示するページの表示操作が行われたとき(ステップＳ１１２のＹｅｓ)は、ステップＳ１１３に進む。次に表示するページの表示操作でなくプレビュー画像の表示終了操作が行われたとき(ステップＳ１１２のＮｏ)は、ステップＳ１１４に進む。
【００５１】
（ステップＳ１１３）
ステップＳ１１２のＹｅｓにおいて、プレビュー画像表示処理部２１０ｂは、次に表示するページ番号を表示ページ番号データに設定し、ステップＳ１０３に戻る。
【００５２】
（ステップＳ１１４）
ステップＳ１１２のＮｏにおいて、プレビュー画像表示処理部２１０ｂは、操作パネル２３０に表示されているプレビュー画像データの画像を消去し、プレビュー画像表示処理を終了する。
【００５３】
以上により、ユーザーが片手で携帯端末２００を保持した状態で携帯端末２００の裏側を水平方向に正面に向ける動作を行い、次にユーザーが携帯端末２００の表側を水平方向に正面に向ける動作を行うことで、両面印刷におけるページの裏面のプレビュー画像を操作パネル２３０に表示できる。つまり、用紙の両面に画像が印刷されているときに、用紙の裏側を見るときと同じような動作を行うことで、両面印刷におけるページの裏面のプレビュー画像をユーザーは片手で確認できる。このように、ユーザーがプレビュー画像の確認を行った後に携帯端末２００からプレビュー画像に対応する元の画像データの印刷要求を行うことで、印刷設定の誤りなどによる誤った印刷（ミスコピー）を事前に防止できる。
【００５４】
なお、実施形態の図４に示すプレビュー画像表示処理においては、プレビュー画像データの両面印刷フラグがセットされているかを判定することで裏面があるかを判定し、裏面があるときのみ裏面のプレビュー画像を表示するようにしたが、これに限定されない。例えば、両面印刷でないので両面印刷フラグがセットされていないときに、ユーザーが裏面を表示する動作を行った場合には、白紙の画像を表示することも可能である。このように白紙の画像を表示することで、ユーザーは両面印刷でないことを用紙で確認するような感覚で確認できる。
【００５５】
また、実施形態の図４に示すプレビュー画像表示処理においては、ページの裏面のプレビュー画像を表示した後に次に表示するページの表示操作またはプレビュー画像の表示終了操作が行われるまで待ち状態としたが、これに限定されない。例えば、待ち状態において、ユーザーが図３に示すようなページの裏面のプレビュー画像を表示するときと同じ動作を行ったときに、裏面のプレビュー画像が表示されている状態から表面のプレビュー画像を表示する状態とすることも可能である。
【００５６】
また、実施形態においては、画像形成装置１００と携帯端末２００とをネットワーク４００で接続し、ネットワーク４００により携帯端末２００は画像形成装置１００からプレビュー画像データを受信するようにしたが、これに限定されない。例えば、画像形成装置１００の近距離無線通信部１８０と携帯端末２００の近距離無線通信部２６０により、画像形成装置１００と携帯端末２００とを近距離無線通信で接続し、この近距離無線通信により携帯端末２００は画像形成装置１００からプレビュー画像データを受信することも可能である。また、画像形成装置１００と携帯端末２００をインターネット６００により接続し、インターネット６００の通信プロトコルを用いて、携帯端末２００は画像形成装置１００からプレビュー画像データを受信することも可能である。
【００５７】
また、実施形態においては、画像形成装置１００が画像データからプレビュー画像データを作成するようにしたが、これに限定されない。例えば、携帯端末２００が画像データからプレビュー画像データを作成してプレビュー画像を表示することも可能である。
【００５８】
また、実施形態の図４に示すプレビュー画像表示処理においては、ステップＳ１０７の「水平方向に９０度から１８０度の範囲以内で回転」及びステップＳ１０８の「逆方向に９０度から１８０度の範囲以内で回転」としているが、方向や角度については、これに限定されない。例えば、方向については、水平方向だけでなく斜め水平方向でもよい。また、角度については、９０度から１８０度の範囲より狭い角度の範囲または広い角度の範囲でもよい。更に、携帯端末２００毎に、方向や角度の範囲を変更して設定できるようにすることも可能である。
【００５９】
このような本発明の画像形成システム、携帯端末、及び画像表示プログラムは、両面印刷におけるページの裏面のプレビュー画像を片手で容易に表示することができる。
【００６０】
以上、具体的な実施の形態により本発明を説明したが、上記実施の形態は本発明の例示であり、この実施の形態に限定されないことは言うまでもない。
【産業上の利用可能性】
【００６１】
本発明の画像形成システム、携帯端末、及び画像表示プログラムは、プレビュー画像データの画像が表示可能な携帯端末及びこのような携帯端末を備えるあらゆるシステムに適用できる。
【符号の説明】
【００６２】
１０・・・・・画像形成システム
１００・・・・・画像形成装置
１１０・・・・・制御部
１１０ａ・・・・プレビュー画像作成処理部
１１０ｂ・・・・プレビュー画像送信処理部
１２０・・・・・メモリー部
１２０ａ・・・・画像データ記憶エリア
１２０ｂ・・・・プレビュー画像データ記憶エリア
１３０・・・・・記憶部
１３０ａ・・・・ドキュメントボックスエリア
１４０・・・・・操作パネル
１５０・・・・・操作パネル処理部
１６０・・・・・原稿読取部
１７０・・・・・画像処理部
１８０・・・・・近距離無線通信部
１９０・・・・・ネットワーク通信部
２００・・・・・携帯端末
２１０・・・・・制御部
２１０ａ・・・・プレビュー画像要求処理部
２１０ｂ・・・・プレビュー画像表示処理部
２２０・・・・・メモリー部
２２０ａ・・・・プレビュー画像データ記憶エリア
２３０・・・・・操作パネル
２４０・・・・・操作パネル処理部
２５０・・・・・３軸加速度センサー部
２６０・・・・・近距離無線通信部
２７０・・・・・ネットワーク通信部
３００・・・・・アクセスポイント
４００・・・・・ネットワーク
５００・・・・・ルーター
６００・・・・・インターネット
７００・・・・・アクセスポイント
【図１】
2015187761.tif 000003
【図２】
2015187761.tif 000004
【図３】
2015187761.tif 000005
【図４】
2015187761.tif 000006